(57)【要約】【課題】詰め替え用容器と詰め替えを受ける容器の嵌合が確実で、粘度が高く注入する力を多少大きくしても、嵌合が外れたり洩れたりしないで、作業者が手を汚すこともなく、確実に詰め替えができる詰め替えができる手段を持つこと。および、その詰め替え作業が容易で、かつ、安価に作成できる詰め替え部材を得ること。【解決手段】上下に開口部を有し、一方の開口部に詰め替え用容器（２）の口部に嵌合する詰め替え嵌合部（１１）を有し、かつ、他方の開口部に詰め替えを受ける容器（３）の口部に嵌合する容器嵌合部（１３）を有する詰め替え用キャップであって、それぞれの嵌合部同士がキャップの中で連通し、かつ、その内部に詰め替え用容器の口先に設けたシールフィルムを破断する開封刃（１２）を有することを特徴とした詰め替え用キャップ。【選択図】図１
2014213930.tif 000002
【特許請求の範囲】
【請求項１】
上下に開口部を有し、一方の開口部に詰め替え用容器の口部に嵌合する詰め替え嵌合部を有し、かつ、他方の開口部に詰め替えを受ける容器の口部に嵌合する容器嵌合部を有する詰め替え用キャップであって、
それぞれの嵌合部同士がキャップの中で連通し、かつ、その内部に詰め替え用容器の口先に設けたシールフィルムを破断する開封刃を有することを特徴とした詰め替え用キャップ。
【請求項２】
開封刃の付け根にストレートの立ち上がりを付けたことを特徴とする請求項１に記載の詰め替え用キャップ。
【請求項３】
容器嵌合部内側に、詰め替え用容器の口部が嵌合する保護嵌合部を有することを特徴とする請求項１又は２に記載の詰め替え用キャップ。
【請求項４】
詰め替え嵌合部と、容器嵌合部とが同一の嵌合形状を持つことを特徴とする請求項１又は２に記載の詰め替え用キャップ。
【請求項５】
保護嵌合部と容器嵌合部との間に、詰め替え嵌合部の外側に連通するエアー孔を設けたことを特徴とする請求項３または４に記載の詰め替え用キャップ。
【請求項６】
請求項１〜５のいずれかに記載の詰め替え用キャップを有することを特徴とする包装容器。
【発明の詳細な説明】
【技術分野】
【０００１】
本発明は、液体調味料、食料油、液体甘味料、液体化粧品などの液体または粘体（粘性体）を収納する容器において、詰め替え用容器から充填用容器に詰め替える時に使用するための詰め替え用キャップおよび該キャップを有する包装容器に関する。
【背景技術】
【０００２】
化粧水、化粧乳液、シャンプー、リンス、コンディショナーなどのような液体化粧品や、オリーブ油のような食料油、ワインビネガーのような液体調味料などを収納する液体用容器は、できる限り、外からの汚れが入ることによる変質を防止することが求められている。
特に、従来は詰め替え用にスタンディングパウチのようなシートで構成される簡易的な袋状の容器が用いられることが多かった。
しかし、充填用の容器口部に詰め替え用容器の切断した注出口を挿入するのも難しく、詰め替える内容物は粘度が高いものが多いので、詰め替える時に時間が掛かり、充填用の容器口部に詰め替え用容器の切断した注出口を挿入した状態を長い時間保つのは、非常に骨の折れる作業になってしまう。しかも、無理やり詰め替えパウチから押し出そうとすると、あふれて漏れてしまう問題も発生しやすく、簡単に、かつ、確実に詰め替え用容器から充填用の容器に詰め替えられるようにする方法が求められていた。
【０００３】
以上に対し、特許文献１では、口部開口から突出するフィルム開口手段を備えた容器の口部に装着可能な容器装着部と、前期容器への装着時、前記口部開口に当接し前記口部開口側に開口する開口部をシュリンクフィルムにより塞いだ収納部とを有する収納部付きキャップを提案している。
しかし、キャップの一部に収納するので、スクイズ性はほとんど望めないので、このような充填ができるのは、粘度が低く、開口すれば容易に充填用容器に内容物が流入するような内容物にしか使用できない。また、容量も大きくしにくいなどの問題がある。
【０００４】
特許文献２では、注出部材の口部に熱融着したプラスチックシート層又は金属箔を含むプラスチックシート層を形成した柔軟な包装体からなる詰め替え内容物用容器を別個に有するリフィル性容器であって、前記リフィル性容器の口部にシート切断刃部と内容物注入及び空気抜きのための孔とを有し、且つ、内径が詰め替え内容物用容器の注出材の外径よりも大きいプラスチック製の中栓を嵌合させた易リフィル性容器を提案している。
しかし、この易リフィル性容器は柔軟な包装体からなるので、粘度が高い内容物にも使用できるが、特殊な中栓を介して容器を結合させるので、詰め替え内容物用容器の口径はかなり小さくならざるを得なかった。
しかも、詰替え時に詰め替え内容物用容器とリフィル性容器とが連通する孔は小さく、粘度が高い内容物は詰め替えが非常に難しく、詰め替え時間も掛かる。且つ、急いで詰め替え内容物を押し込もうと、詰め替え内容物用容器を強く押して内容物を排出しようとすると、詰め替え内容物用容器とリフィル性容器の嵌合は単なる挿入されただけになっているので、簡単に外れて、内容物が漏れ出す恐れがあり、作業性及びコスト面において問題があった。
【先行技術文献】
【特許文献】
【０００５】
【特許文献１】実開平５−６８８６５号公報
【特許文献２】実開平５−７１１５２号公報
【発明の概要】
【発明が解決しようとする課題】
【０００６】
上記問題に鑑みて、詰め替え用容器と詰め替えを受ける容器の嵌合が確実で、粘度が高く注入する力を多少大きくしても、嵌合が外れたり洩れたりしないで、作業者が手を汚すこともなく、確実に詰め替えができる詰め替えができる手段を持つこと。および、その詰め替え作業が容易で、かつ、安価に作成できる詰め替え部材としてのキャップを得ることが本発明の課題である。
【課題を解決するための手段】
【０００７】
本発明の請求項１の詰め替え用キャップは、上下に開口部を有し、一方の開口部に詰め替え用容器の口部に嵌合する詰め替え嵌合部を有し、かつ、他方の開口部に詰め替えを受ける容器の口部に嵌合する容器嵌合部を有する詰め替え用キャップであって、
それぞれの嵌合部同士がキャップの中で連通し、かつ、その内部に詰め替え用容器の口先に設けたシールフィルムを破断する開封刃を有することを特徴とした詰め替え用キャップである。
【０００８】
本発明の請求項２の詰め替え用キャップは、開封刃の付け根にストレートの立ち上がりを付けたことを特徴とする詰め替え用キャップである。
【０００９】
本発明の請求項３の詰め替え用キャップは、容器嵌合部内側に、詰め替え用容器の口部が嵌合する保護嵌合部を有することを特徴とする詰め替え用キャップである。
【００１０】
本発明の請求項４の詰め替え用キャップは、詰め替え嵌合部と、容器嵌合部とが同一の嵌合形状を持つことを特徴とする詰め替え用キャップである。
【００１１】
本発明の請求項５の詰め替え用キャップは、保護嵌合部と容器嵌合部との間に、詰め替え嵌合部の外側に連通するエアー孔を設けたことを特徴とする詰め替え用キャップである。
【００１２】
本発明の請求項６は、請求項１〜５のいずれかに記載の詰め替え用キャップを有することを特徴とする包装容器である。
【発明の効果】
【００１３】
本発明の詰め替え用キャップは、詰め替え用容器と詰め替えを受ける容器の嵌合が確実で、粘度が高く注入する力を多少大きくしても、嵌合が外れたり洩れたりしない。
中栓を付けたり外したりすることもないので、詰め替え作業者が手を汚すこともなく、容易である。しかも射出成形により一体成形にて製造が可能なので、安価に製造することができる。
また、詰め替え用容器と詰め替えを受ける容器のそれぞれの口径に制約もなく、それぞれの注出口に嵌合する連通通路には、シールフィルムを破断する刃が有するだけで、大きな開口にすることが可能で、確実に、かつ短時間で、容易に詰め替えが可能であるなどの効果がある。
【図面の簡単な説明】
【００１４】
【図１】図１−１は本発明の詰め替え用キャップの一例を示す断面図である。図１−２は他の一例を示す断面図である。
【図２】本発明の詰め替え用キャップを使用して、詰め替え用容器から詰め替えを受ける容器へ充填している状態の断面図である。
【図３】本発明の詰め替え側から見た詰め替え用キャップの平面図である。
【図４】本発明の容器側から見た詰め替え用キャップの平面図である。
【図５】本発明の詰め替え側から見た詰め替え用キャップ及び容器の斜視図である。
【図６】本発明の容器側から見た詰め替え用キャップの斜視図である。
【図７】本発明の詰め替え用キャップが詰め替え用容器に嵌合して流通する形態を示す断面図である。
【図８】本発明の詰め替え用キャップの詰め替えを受ける側に詰め替えを受ける容器を嵌合し、詰め替え用容器を、本発明の詰め替え用キャップの詰め替え側に嵌合させつつある状態を示す断面図である。
【図９】本発明の詰め替え用キャップに嵌合させた詰め替え用容器の注出口に設けたシールフィルムを、詰め替え用キャップ内部の刃で、破断している状態を示す断面図である。
【図１０】本発明の詰め替え用キャップに嵌合させた詰め替え用容器の注出口を開口し、完全に詰め替えを受ける容器と詰め替え用容器を、連通させた状態で、詰め替え用容器内部の内容物が詰め替えを受ける容器側に充填している状態を示す断面図である。
【図１１】本発明の詰め替え用キャップの別の実施例で、詰め替え用容器と詰め替えを受ける容器の口元が同じ形状の例で、充填状態を示す断面図である。
【図１２】本発明の詰め替え用キャップの別の実施例を示す断面図である。
【発明を実施するための形態】
【００１５】
以下、本発明の詰め替え用キャップにおける実施形態について、図を用いて詳細に説明する。
実施形態例に使用される詰め替え用キャップを図１−１に示す。この詰め替え用キャップ１は、詰め替え用容器側には押し出しチューブなどのように、可撓性のある容器の口元に装着して使用する。
この詰め替え用キャップには上下に開口部があり、上下両側に同じ嵌合形状を持つ。すなわち、詰め替え用容器の口元に嵌合可能な詰め替え嵌合部１１が詰め替え側に、保護嵌合部１１０が容器側に、同じ嵌合形状で向き合って設置されている。図１で示した図では、嵌合部が螺嵌する内ネジになっている。もちろん、打栓タイプの嵌合部であってもかまわない。
さらに、詰め替え側、すなわち詰め替え用容器の口元側に、鋭利な開封刃１２が詰め替え嵌合部１１よりも低く設けられている。この開封刃１２は、詰め替え用容器２の注出口先端に融着しているシールフィルムを破断する役目を持っている。この開封刃１２の形状は、のこぎり状の刃でもかまわない。そして、この開封刃１２の周囲には詰め替え用キャップ１の上下が連通する連通穴１２１が設けられている。
【００１６】
実施形態例に使用される詰め替え用キャップの他の一例を図１−２に示す。開封刃１２の付け根にストレートの立ち上がり１２２を設け、シールフィルム２１が破断された時、開封刃１２の連通孔１２１部分にシールフィルムが付着し、閉塞することを防ぐようにしている。
【００１７】
容器側、すなわち開封刃１２を設けた反対側の、詰め替えを受ける容器側には、詰め替えを受ける容器３の口元に合わせた容器嵌合部１３が設けられている。
また、前側には漏れた内容物を受ける受け１５が設けられている。この受け１５は、単にロートのように内容物が漏れた場合に受けるだけのため、立ち壁になっていれば良いだけのものであるが、なくてもかまわない。
また、詰め替え嵌合部１１と開封刃１２の間にコンタクトリング１６を設けた。もちろん、インナーリングでもかまわないが、シールフィルムが邪魔をするので、端面だけでシールすることが望ましい。このコンタクトリング１６で確実に詰め替え用容器２の注出口を詰め替え用キャップ１に固定できれば、強い圧力を詰め替え用容器２に掛けて、無理やり注出しても、内容物が漏れ出すことがなく、早く詰め替えできる。
【００１８】
図２では、本発明の詰め替え用キャップ１を使用して、内容物４を詰め替えている状況
を示している。
詰め替え嵌合部１１には詰め替え用容器２が装着され、容器嵌合部１３には詰め替えを受ける容器３が装着されている。そして、詰め替えを受ける容器３が下側に、詰め替え用容器２が上側になっている。
詰め替え用容器２の注出口に設けられたシールフィルム２１が、開封刃１２で破断して、その破断した穴から、内容物４が注出され、詰め替えを受ける容器３に詰め替えられて始めた状態を示している。
もし、詰め替え用容器２の注出口に設けられたシールフィルム２１がなかった場合、詰め替えようとして、詰め替え用容器２の注出口を下にすると、こぼれ出る恐れがある。逆に詰め替え用容器２を下側にした場合、詰め替えを受ける容器３の注出口が下を向けるようになってしまう。この時、少しでも前の内容物が残っていた場合、こぼれ出る恐れが生じる。したがって、詰め替え用容器２の注出口にシールフィルム２１を融着しておくことは重要である。
それゆえ、このシールフィルム２１を融着した状態の詰め替え用容器２注出口のまま嵌合し、そのシールフィルム２１を詰め替え用キャップ１内部で破断できるような工夫が必要になる。
【００１９】
この詰め替え用キャップ１に、詰め替え用容器２と詰め替えを受ける容器３とを固定し、詰め替え作業する時、エアー孔１４を内側の保護嵌合部１１０と外側の容器嵌合部１３との間に設けておくと、詰め替えを受ける容器３内部のエアーが良く抜けて、内容物４がスムーズに詰め替えられる。このエアー孔１４は受け１５の底部に設けられているので、たとえエアー孔１４から内容物４が漏れ出しても、受け１５の中にこぼれる程度なので、問題が出ない。
また、エアー孔１４があることで、無理な力を掛けなくても、自然に内容物４の詰め替え速度に合わせ、詰め替えを受ける容器３内部のエアーが抜け、充填しやすくなる。
特にエアーの通る所と、内容物４が通る所が、保護嵌合部１１０で分離されているので、途中で内容物やエアーが詰まったり、内容物４がエアー孔１４から内容物４が漏れ出しにくくなっている。
【００２０】
図３は、本発明の詰め替え用キャップ１を後側、すなわち、充填受け側より見た平面図である。
開封刃１２は中央に細く設けられ、その周囲に詰め替え用キャップ１の前後が連通する連通穴１２１が設けられている。
保護嵌合部１１０の周囲にエアー孔１４が４箇所設けられているが、詰め替え時にどのような傾きがあっても、エアーがぬけ易くする為、できるだけ四方八方へ分散して設けることが望ましい。
【００２１】
図４は、本発明の詰め替え用キャップ１を詰め替え側、すなわち、充填側より見た平面図である。
詰め替え嵌合部１１の中央にシールフィルム２１を破断するための開封刃１２が手前側に設けられている。この刃は、シールフィルム２１の一部が充填される容器の中に入ってしまわないように、シールフィルム２１を破断するが、できる限り、切り取ってしまわないようにする必要がある。そのため、あまり鋭利で切り刻むのではなく、単に孔が開いて内容物４が流れ出るようにするだけの状態が好ましい。
【００２２】
図５−１は、本発明の詰め替え用キャップ１を詰め替え側、すなわち、充填側から見た斜視図である。詰め替え嵌合部１１の内部にある開封刃１２は低く落ち込んだ所にあるので、ほとんど傷めることはないようになっている。さらに、受け１５部分がさらに高く設定されて、より安全になっている。詰め替え用容器は、この詰め替え用キャップを下に立てて置くことができるようになっている。
図５−２に見られるように、通常販売される状態は、詰め替え用容器２のキャップとして、詰め替え用キャップ１が詰め替え容器のシールフィルム２１の保護を目的も兼ねている。
【００２３】
図６は、本発明の詰め替え用キャップ１を容器側、すなわち、詰め替えを受ける側から見た斜視図である。
【００２４】
図７は、通常に販売されている詰め替え用容器の状態で、図５−２の注出口近傍の断面図である。
詰め替え用容器２の注出口にシールフィルム２１が貼られ、キャップで保護されている。詰め替える時には、まず、この詰め替え用キャップ１を詰め替え用容器２から外す。
【００２５】
図８は、図７で詰め替え容器２から外した詰め替え用キャップ１を、詰め替えを受ける容器３の口元に嵌合させる。すなわち、詰め替えを受ける容器３口元に、容器嵌合部１３を嵌合させる。そして、詰め替え用容器２口元に、詰め替え嵌合部１１を嵌合していく様子を断面図で表している。
【００２６】
図９は、図８の次の工程の断面図で、詰め替え用容器２口元に、詰め替え嵌合部１１を嵌合していき、シールフィルム２１が、開封刃１２で破断していく状態を示している。
【００２７】
図１０は、図９の次の工程の断面図で、詰め替え用容器２口元に、詰め替え嵌合部１１を嵌合して、シールフィルム２１が、開封刃１２で破断している。そのことによって、詰め替え用キャップ１を介して、詰め替え用容器２と詰め替えを受ける容器３とが連通穴を通して連通し、充填が開始された状態を示している。
開封刃１２の周囲にある連通穴１２１から内容物４が流入されると、保護嵌合部１１０を通って内容物４は詰め替えを受ける容器３内部に入ってくる。
詰め替えを受ける容器３に入って来た分、詰め替えを受ける容器３の中のエアーを抜かないと、充填しようとしても、詰め替えを受ける容器３内部の圧力が高くなるので、それ以上内容物が詰め替えを受ける容器３内部に入らなくなってしまう。その為、充填する容量に匹敵する容量のエアーを、詰め替えを受ける容器３から抜かなくてはならない。
エアー孔１４を保護嵌合部１１０と後嵌合部１３との間に設けておくと、充填する連通穴１２１の通路の邪魔をせずに、詰め替えを受ける容器３内部のエアーが効率よく抜けて、内容物４がスムーズに詰め替えられる。
また、もし、エアー孔１４から内容物が漏れても、受け１５があるので、周囲を汚すことがない。
【００２８】
図１１は、詰め替え用容器２口元と、詰め替えを受ける容器３口元とが、同じ形状であった場合の詰め替え用キャップを示している。
この場合、保護嵌合部１１０と後嵌合部１３は同じものになるので、単純な形状になる。ただ、エアー孔１４が詰め替え用キャップ内部に設けられないので、充填時間が掛かるなどの問題が出易い問題は残る。
【００２９】
図１２は、詰め替え用容器２口元と、詰め替えを受ける容器３口元との口径差があまり大きくない場合の例である。おなじように、対応できるが、詰め替え用キャップ１の長さがながくなってしまい、図１１と同じような問題が残る。
【００３０】
本発明の詰め替え用キャップ１に使用する材料としては、曲げ剛性が１０００ＭＰａ〜２０００ＭＰａの比較的硬質の材料が好ましい。例えば、ポリプロピレン、高密度ポリエチレン樹脂、エチレン・プロピレン共重合樹脂、アクリロニトリル・ブタジエン樹脂、ポリメチルメタアクリレート樹脂、ポリエチレンテレフタレート樹脂、ポリスチレン樹脂、
ポリスチレン樹脂、アクリロニトリル樹脂、アクリロニトリル・スチレン樹脂、アクリロニトリル・ブタジエン・スチレン樹脂、ポリフェニレン樹脂などが使用できる。
【００３１】
また、詰め替え用容器２は、軟質で押し出しが可能な容器が好ましい。例えば、ポリエチレン／紙／ポリエチレン／アルミ箔／ポリエチレン／ポリアミド／ポリエチレンなどの多層シートを使用した胴部を持ち、多層のタブレットを使用してコンプレッション成形した肩部を有するラミネートチューブや、ポリアミド／ポリエチレンなどの多層ブロー成形による多層押し出しチューブ、ポリエチレン／エチレン・ビニルアルコール共重合体／ポリエチレンなどの異型押し出しを使用した多層胴部と射出成形によって成形熱融着された肩部と持つ多層押し出しチューブ、また、ポリエチレン／エチレン・ビニルアルコール共重合体／ポリアミド／ポリエチレンなどの薄肉ブロー成形容器などが考えられるが、口部を有するものであればパウチや紙容器でも良い。
【００３２】
詰め替えを受ける容器３は、プラスチック製ボトルでも、ガラス製ボトルでも、金属製ボトルであってもボトルでかまわない。詰め替え用キャップとの嵌合が確実であればより良いが、通常は専用の詰め替え用キャップになり、他の内容物を誤って詰替えないようにする。その為、通常、詰め替え用キャップは使い捨てにする。
【００３３】
本発明の詰め替え用キャップ１は、以上の様なもので、単に射出成形で得られるので、生産性が高く、組立工程も簡素で、安価に製造が可能である。
しかも、詰め替え容器の保護キャップとしてセットで販売可能であり、詰め替え用キャップ１を取り外し、逆にセットし、詰め替えを受ける容器３に嵌合するだけで、簡単にしかも、漏れる心配がなく詰め替えができる。
さらに、詰め替え用容器２側の圧力を上げて詰め替える充填速度を上げられるので、早く詰め替えが可能になるなど、本発明のメリットは大きい。
【符号の説明】
【００３４】
１・・・・・・・・・詰め替え用キャップ
１１・・・・・・・・詰め替え嵌合部
１１０・・・・・・・保護嵌合部
１２・・・・・・・・開封刃
１２１・・・・・・・連通穴
１２２・・・・・・・ストレートの立ち上がり
１３・・・・・・・・容器嵌合部
１４・・・・・・・・エアー孔
１５・・・・・・・・受け
１６・・・・・・・・コンタクトリング
２・・・・・・・・・詰め替え用容器
２１・・・・・・・・シールフィルム
３・・・・・・・・・詰め替えを受ける容器
４・・・・・・・・・内容物
【図５】
2014213930.tif 000003
【図６】
2014213930.tif 000004
【図１】
2014213930.tif 000005
【図２】
2014213930.tif 000006
【図３】
2014213930.tif 000007
【図４】
2014213930.tif 000008
【図７】
2014213930.tif 000009
【図８】
2014213930.tif 000010
【図９】
2014213930.tif 000011
【図１０】
2014213930.tif 000012
【図１１】
2014213930.tif 000013
【図１２】
2014213930.tif 000014